(57)【特許請求の範囲】
【請求項１】
表示感度を設定して撮影利用可能な光感応手段であって、被写体からの光に感応する該光感応手段の感度として、該表示感度とは異なる感度を設定して該光感応手段を撮影利用可能であることを示す識別子を検出する識別子検出手段と、
被写体輝度を検出する輝度検出手段と、
前記輝度検出手段により検出された前記被写体輝度と、前記識別子検出手段により検出された前記識別子と、に基づいて、感度を設定する感度設定手段と、
前記感度設定手段により設定された感度に基づいて被写体を撮影する撮影手段と、
を有する撮影装置であって、
前記光感応手段の感度特性は、前記異なる感度の光感応手段の感度特性と近似する第１の特性を有する第１の領域と、前記表示感度の光感応手段の感度特性と近似する第２の特性を有する第２の領域と、を有し、
前記感度設定手段は、前記輝度検出手段により検出された前記被写体輝度にもとづき、前記異なる感度および前記表示感度の一方に設定する、
ことを特徴とする撮影装置。
【請求項２】
前記識別子検出手段は、前記識別子を検出する第１の識別子検出手段と、前記表示感度を示す表示感度識別子を検出する第２の識別子検出手段と、により構成されていることを特徴とする、請求項１に記載の撮影装置。
【請求項３】
前記光感応手段は前記識別子を有することを特徴とする請求項１または２に記載の撮影装置。
【請求項４】
前記光感応手段は、被写体を撮影した際の感度を示す感度情報を記録可能に形成されており、
前記光感応手段に、前記感度設定手段により設定された感度を示す感度情報を記録する記録手段をさらに有する、請求項３に記載の撮影装置。
【請求項５】
前記撮影装置は、前記光感応手段を収納する収納体を装填可能であり、
前記収納体は前記識別子を有する、
ことを特徴とする請求項１〜４のいずれか一項に記載の撮影装置。
【請求項６】
前記撮影装置は、前記光感応手段を収納する収納体を装填可能であり、
前記収納体は、被写体を撮影した際の感度を示す感度情報を記録可能に形成されており、
前記収納体に、前記感度設定手段により設定された感度を示す感度情報を記録する記録手段をさらに有する請求項１に記載の撮影装置。
【請求項７】
前記収納体は前記識別子を有することを特徴とする請求項６に記載の撮影装置。
【請求項８】
前記光感応手段は前記識別子を有することを特徴とする請求項６に記載の撮影装置。
【請求項９】
前記収納体は、前記表示感度を示す表示感度識別子を有し、
前記識別子検出手段は、前記表示感度識別子を検出可能に構成されていることを特徴とする、
請求項７または８に記載の撮影装置。
【請求項１０】
前記光感応手段は、前記表示感度を示す表示感度識別子を有し、前記識別子検出手段は、前記表示感度識別子を検出可能に構成されていることを特徴とする請求項７または８に記載の撮影装置。
【請求項１１】
前記識別子検出手段は、前記識別子を検出する第１の識別子検出手段と、前記表示感度識別子を検出する第２の識別子検出手段と、により構成されていることを特徴とする、請求項９または１０に記載の撮影装置。
【請求項１２】
前記光感応手段はフィルムであり、
前記第１の領域は前記フィルムへの露光量が所定値より小さい領域であり、前記第２の領域は露光量が所定値より大きい領域であり、
前記表示感度はＩＳＯ８００であり、前記異なる感度はＩＳＯ１６００である、
請求項１に記載の撮影装置。
【請求項１３】
前記光感応手段は、被写体を撮像する撮像素子であることを特徴とする請求項１〜１１のいずれか一項に記載の撮影装置。
【請求項１４】
表示感度および該表示感度と異なる感度の一方を設定して撮影利用可能なフィルムを収納可能なフィルム収納体であって、
該フィルムが前記表示感度と異なる感度を設定して撮影利用可能であることを識別する識別子が設けられており、
前記フィルムの感度特性は、前記異なる感度のフィルムの感度特性と近似する第１の特性を有する第１の領域と、前記表示感度の光感応手段の感度特性と近似する第２の特性を有する第２の領域と、を有する、
ことを特徴とする、フィルム収納体。
【請求項１５】
前記識別子は、導通面の一部または全部が非導通面と同一の色のＣＡＳコードであり、電気的検出と光学的検出とにより異なる情報として検出される、請求項１４に記載のフィルム収納体。
【請求項１６】
前記識別子は、指定位置以外の場所に記録されたＣＡＳコードである、請求項１４に記載のフィルム収納体。
【請求項１７】
前記識別子は、ＣＡＳコードパターン間の間隙に記録されたＣＡＳコードである、請求項１４に記載のフィルム収納体。
【請求項１８】
電波検知ＩＣが前記フィルム収納体に設けられ、該電波検知ＩＣは前記識別子を含む、請求項１４に記載のフィルム収納体。
【請求項１９】
前記識別子は、前記フィルム収納体に印刷されているバーコードである、請求項１４に記載のフィルム収納体。
【請求項２０】
前記フィルム収納体は、前記識別子としての所定の形状を有する、請求項１４に記載のフィルム収納体。
【請求項２１】
前記フィルム収納体は、被写体を撮影した際の感度を示す感度情報を記録可能に形成されている、請求項１４〜２０のいずれか一項に記載のフィルム収納体。
【請求項２２】
表示感度および該表示感度と異なる感度の一方を設定して撮影利用可能なフィルムと、
前記フィルムが収められたフィルム収納体と、
を有するフィルム・システムであって、
前記フィルム、および、前記フィルム収納体の少なくとも一方に、該フィルムが表示感度と異なる感度を設定して撮影利用可能であることを識別する識別子が設けられており、
前記フィルムの感度特性は、前記異なる感度のフィルムの感度特性と近似する第１の特性を有する第１の領域と、前記表示感度の光感応手段の感度特性と近似する第２の特性を有する第２の領域と、を有する、
ことを特徴とする、フィルム・システム。
【請求項２３】
前記識別子は、導通面の一部または全部が非導通面と同一の色のＣＡＳコードであり、電気的検出と光学的検出とにより異なる情報として検出される、請求項２２に記載のフィルム・システム。
【請求項２４】
前記識別子は、指定位置以外の場所に記録されたＣＡＳコードである、請求項２２に記載のフィルム・システム。
【請求項２５】
前記識別子は、ＣＡＳコードパターン間の間隙に記録されたＣＡＳコードである、請求項２２に記載のフィルム・システム。
【請求項２６】
電波検知ＩＣが前記フィルム収納体に設けられ、該電波検知ＩＣは前記識別子を含む、請求項２２に記載のフィルム・システム。
【請求項２７】
前記識別子は、前記フィルムに印刷されているバーコードである、請求項２２に記載のフィルム・システム。
【請求項２８】
前記識別子は、前記フィルムの切欠きである、請求項２２に記載のフィルム・システム。
【請求項２９】
前記フィルムには磁気記録可能領域があり、前記識別子は該磁気記録可能領域に記録される情報である、請求項２２に記載のフィルム・システム。
【請求項３０】
前記フィルム収納体は、前記識別子としての所定の形状を有する、請求項２２に記載のフィルム・システム。
【請求項３１】
前記フィルム、および、前記フィルム収納体の少なくとも一方は、被写体を撮影した際の感度を示す感度情報を記録可能に形成されている、請求項２２〜３０のいずれか一項に記載のフィルム・システム。
【請求項３２】
請求項２１に記載のフィルム収納体に記録されている前記感度情報を読み取り、該感度情報に基づいて画像を処理する、ラボ機器。
【請求項３３】
請求項３１に記載のフィルム・システムに記録されている画像および前記感度情報を読み取り、該感度情報に基づいて該画像を処理する、ラボ機器。
【請求項３４】
（ａ）表示感度を設定して撮影利用可能な光感応手段であって、被写体からの光に感応する該光感応手段の感度として、該表示感度とは異なる感度を設定して該光感応手段を撮影利用可能であることを示す識別子を検出し、
（ｂ）被写体輝度を検出し、
（ｃ）（ｂ）により検出された前記被写体輝度と、（ａ）により検出された前記識別子と、に基づいて、感度を設定し、
（ｄ）（ｃ）により設定された感度に基づいて被写体を撮影する、
撮影方法であって、
前記光感応手段の感度特性は、前記異なる感度の光感応手段の感度特性と近似する第１の特性を有する第１の領域と、前記表示感度の光感応手段の感度特性と近似する第２の特性を有する第２の領域と、を有し、
（ｃ）は、（ｂ）により検出された前記被写体輝度にもとづき、前記異なる感度および前記表示感度の一方に設定する、
ことを特徴とする撮影方法。
【請求項３５】
（ａ）表示感度を設定して撮影利用可能なフィルムであって、被写体を撮影して画像が記録される該フィルムが、該表示感度と異なる感度を設定して撮影利用可能か否かを判断するステップと、
（ｂ）被写体輝度を検出するステップと、
（ｃ）前記フィルムが表示感度と異なる感度を設定して撮影利用可能であると判断された場合、検出された前記被写体輝度に基づいて、感度を設定するステップと、
を有する撮影方法であって、
前記フィルムの感度特性は、前記異なる感度のフィルムの感度特性と近似する第１の特性を有する第１の領域と、前記表示感度のフィルムの感度特性と近似する第２の特性を有する第２の領域と、を有し、
（ｃ）は、（ｂ）により検出された前記被写体輝度にもとづき、前記異なる感度および前記表示感度の一方に設定する、
撮影方法。
【請求項３６】
設定された前記感度を記録するステップをさらに有する請求項３５に記載の撮影方法。
【請求項３７】
請求項３５の撮影方法によって記録された前記感度を読み取るステップと、
読み取られた前記感度に基づいて、前記フィルムに記録されている画像を処理するステップと、
を有する画像処理方法。
【発明の詳細な説明】
【０００１】
【発明の属する技術分野】
本発明は、撮影装置、フィルム収納体、フィルム・システム、ラボ機器、該撮影装置による撮影方法、および、該ラボ機器による画像処理方法に関するものである。
【０００２】
【従来の技術および発明が解決しようとする課題】
従来、高感度のフィルムを使用した撮影では露光オーバーになり易い傾向があった。その結果、ネガ濃度が高くなるので、ラボあるいはＤＰＥ店でプリントに時間がかかるようになり、問題となっている。
【０００３】
ネガ濃度は撮影時の露光量から算出できるが、ラボあるいはＤＰＥ店で現像し、プリンタまたはフィルムスキャナを通すまでネガ濃度が判らないのが現状であり、ラボ側では対応の方法がない。
【０００４】
また、光学式プリンタの代わりにフィルムスキャナを使う、最近のミニラボではプリントの際に階調を変化させる、あるいは電子ズームでトリミングを行う等の処理が可能だが、撮影者が現像依頼時にラボに対してコマ毎の指示を出すのは難しく、実際には仕上りプリントを受取り後に改めてプリントし直すことになるため、コスト、時間とも無駄になり非効率的である。
【０００５】
一方、露光オーバーになるのを避けるために、カメラ側で高めに感度を設定すると、逆光で人物の顔などのメインになる被写体が暗くなってしまい、周囲の明るさとのバランスが崩れてしまう。
【０００６】
あるいは、室内撮影や夜景をバックにした場合などに、ストロボを使用するとストロボの調光量と背景の露光量のバランスが取れず、被写体だけが明るく、背景は露光アンダー気味となるので、結果として被写体と背景の明るさとのバランスが取れなくなる。
【０００７】
これらの不具合を、撮影者自身がカメラの感度設定を手動で変更することで回避する方法は撮影の際の手間と間違え易さから現実的でなく、また最近の電子化されたカメラの中には感度設定を手動で行えないものも存在する。
【０００８】
本発明は上記事実に鑑みなされたもので、光感応手段の感度を表示感度とは異なる感度を設定して該光感応手段を撮影利用可能であることを示す識別子を検出する識別子検出手段を有することを特徴とする撮影装置および撮影方法を提供することを目的とする。
【０００９】
また、本発明の別の目的は、撮影時に設定された感度を示す感度情報を記録する記録手段をさらに有する撮影装置を提供し、該撮影装置により撮影された画像を該感度情報にもとづいて処理するラボ機器および画像処理方法を提供することである。さらに、本発明は該撮影装置に装填可能なフィルム収納体およびフィルム・システムを提供することを目的とする。
【００１０】
また、本発明は、表示感度とは異なる感度を設定して撮影利用可能な光感応手段を使用し、撮影状況に応じて撮影装置の感度設定を自動的に切替え、最適な露光条件を得ることも目的とする。
【００１１】
本発明に関連する技術として、例えば、カメラがバーコードを検知することにより露光条件を設定することができるように、感度を含むフィルム特性を示す該バーコードを有するフィルムがある（例えば、特許文献１参照。）。
【００１２】
【特許文献１】
特開平９−８０６９５号（段落番号「００４５」、図１〜４）
【００１３】
【課題を解決するための手段】
上記目的を達成するために、請求項１に記載の撮影装置は、表示感度を設定して撮影利用可能な光感応手段であって、被写体からの光に感応する該光感応手段の感度として、該表示感度とは異なる感度を設定して該光感応手段を撮影利用可能であることを示す識別子を検出する識別子検出手段と、被写体輝度を検出する輝度検出手段と、前記輝度検出手段により検出された前記被写体輝度と、前記識別子検出手段により検出された前記識別子と、に基づいて、感度を設定する感度設定手段と、前記感度設定手段により設定された感度に基づいて被写体を撮影する撮影手段と、を有する撮影装置であって、前記光感応手段の感度特性は、前記異なる感度の光感応手段の感度特性と近似する第１の特性を有する第１の領域と、前記表示感度の光感応手段の感度特性と近似する第２の特性を有する第２の領域と、を有し、前記感度設定手段は、前記輝度検出手段により検出された前記被写体輝度にもとづき、前記異なる感度および前記表示感度の一方に設定する、ことを特徴とする。
【００１４】
すなわち、本撮影装置は、被写体からの光に感応する光感応手段の感度として表示感度とは異なる感度を設定して該光感応手段を撮影利用可能であることを示す識別子を検出する識別子検出手段を有することを特徴としているので、該撮影装置によれば、光感応手段がユーザに該光感応手段の感度を知らせるための表示感度とは異なる感度を設定して撮影利用可能であるか否かを識別することができる。
撮影装置は、被写体輝度を検出する輝度検出手段と、該輝度検出手段により検出された被写体輝度と、識別子検出手段により検出された識別子と、に基づいて、感度を設定する感度設定手段と、感度設定手段により設定された感度に基づいて被写体を撮影する撮影手段と、を有しているので、これにより、例えば、露光オーバーになり易い日中の屋外撮影などでは撮影装置の感度を高めに設定することにより、露光量を減少し、ネガ濃度が高くなるのを防ぐことができる。
光感応手段の感度特性は、異なる感度の光感応手段の感度特性と近似する第１の特性を有する第１の領域と、表示感度の光感応手段の感度特性と近似する第２の特性を有する第２の領域と、を有し、感度設定手段は、輝度検出手段により検出された被写体輝度にもとづき、該異なる感度および該表示感度の一方に設定することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定する。これにより、露光オーバーになり易い日中の屋外撮影などでの露光量を減少させ、ネガ濃度が高くなるのを防ぐことができる。
【００１５】
請求項２に記載されるように、請求項１の識別子検出手段は、識別子を検出する第１の識別子検出手段と、前記表示感度を示す表示感度識別子を検出する第２の識別子検出手段と、により構成されていることを特徴とする。
【００１６】
すなわち、識別子検出手段は、識別子を検出する第１の識別子検出手段と、表示感度を示す表示感度識別子を検出する第２の識別子検出手段と、を有するので、表示感度識別子と異なる位置、または、形態により示される識別子を第一の識別子検出手段により検出し、光感応手段が表示感度とは異なる感度を設定して撮影利用可能であるか否かを識別することができる。
【００１９】
請求項３に記載されるように、請求項１または２の撮影装置における光感応手段は前記識別子を有することを特徴とする。
【００２０】
すなわち、光感応手段が識別子を有し、撮影装置の識別子検出手段は、光感応手段の識別子を検出することにより、該光感応手段が表示感度とは異なる感度を設定して撮影利用可能であるか否かを識別することができる。
【００２１】
請求項４に記載されるように、請求項３の撮影装置における光感応手段は、被写体を撮影した際の感度を示す感度情報を記録可能に形成されており、光感応手段に、感度設定手段により設定された感度を示す感度情報を記録する記録手段をさらに有してもよい。
【００２２】
すなわち、光感応手段は、被写体を撮影した際の感度を示す感度情報を記録可能に形成されており、光感応手段に、感度設定手段により設定された感度を示す感度情報を記録する記録手段をさらに有しているので、被写体を撮影した際の感度を示す感度情報を光感応手段に記録し、ラボへ伝えることができる。これにより、ラボではプリント前にこれらの感度情報を知ることで、効率的なプリント作業ができる。感度情報とともに、ネガ濃度、階調補正や電子ズームなどの情報が光感応手段に記録されてもよい。
【００２３】
請求項５に記載されるように、請求項１〜４の撮影装置は、光感応手段を収納する収納体を装填可能であり、該収納体は識別子を有する、ことを特徴とする。
【００２４】
すなわち、撮影装置は、例えば、光感応手段であるフィルムを収納する収納手段であるパトローネを装填可能であり、該パトローネは識別子を有していてもよい。
【００２５】
請求項６に記載されるように、請求項１の撮影装置は、光感応手段を収納する収納体を装填可能であり、該収納体は、被写体を撮影した際の感度を示す感度情報を記録可能に形成されており、該収納体に、感度設定手段により設定された感度を示す感度情報を記録する記録手段をさらに有してもよい。
【００２６】
すなわち、撮影装置は、例えば、光感応手段であるフィルムを収納する収納体であるパトローネを装填可能であり、該パトローネに感度情報を記録することができる。感度情報はプリントの際に使用されることができる。感度情報とともに、ネガ濃度、階調補正や電子ズームなどの情報がフィルム、もしくは、フィルム収納体に記録されていてもよい。この場合、これらの情報もプリントを作る際に使用される。
【００２７】
請求項７に記載されるように、請求項６の撮影装置において、収納体は識別子を有することを特徴とする。
【００２８】
すなわち、収納体が識別子を有することにより、収納体に収納可能な光感応手段、例えば、パトローネに収納可能なフィルムが、表示感度とは異なる感度を設定して撮影利用可能であるフィルムであるか否かを識別することができる。
【００２９】
請求項８に記載されるように、請求項６の撮影装置において、光感応手段は識別子を有することを特徴とする。
【００３０】
すなわち、光感応手段が識別子を有することにより、該光感応手段が、表示感度とは異なる感度を設定して撮影利用可能であるか否かを識別することができる。
【００３１】
請求項９に記載されるように、請求項７または８の撮影装置において、収納体は、表示感度を示す表示感度識別子を有し、識別子検出手段は、該表示感度識別子を検出可能に構成されていることを特徴とする。
【００３２】
すなわち、収納体は、表示感度を示す表示感度識別子を有するので、該収納体に収納可能な光感応手段を通常の表示感度通りの光感応手段として扱い、被写体を撮影することもできる。
【００３３】
請求項１０に記載されるように、請求項７または８の撮影装置において、光感応手段は、表示感度を示す表示感度識別子を有し、識別子検出手段は、該表示感度識別子を検出可能に構成されている、ことを特徴とする。
【００３４】
すなわち、光感応手段は、表示感度を示す表示感度識別子を有するので、該光感応手段を通常の表示感度通りの光感応手段として扱い、被写体を撮影することもできる。
【００３５】
請求項１１に記載されるように、請求項９または１０に記載の撮影装置の識別子検出手段は、識別子を検出する第１の識別子検出手段と、表示感度識別子を検出する第２の識別子検出手段と、により構成されていることを特徴とする。
【００３６】
すなわち、識別子検出手段は、識別子を検出する第１の識別子検出手段と、表示感度を示す表示感度識別子を検出する第２の識別子検出手段と、を有するので、表示感度識別子と異なる位置、または、形態により示される識別子を第一の識別子検出手段により検出し、光感応手段が表示感度とは異なる感度を設定して撮影利用可能であるか否かを識別することができる。
【００３９】
請求項１２に記載されるように、請求項１の撮影装置における光感応手段はフィルムであり、第１の領域は前記フィルムへの露光量が所定値より小さい領域であり、第２の領域は露光量が所定値より大きい領域であり、表示感度はＩＳＯ８００であり、異なる感度はＩＳＯ１６００であってよい。
【００４０】
すなわち、撮影装置における光感応手段はフィルムであり、第１の領域は前記フィルムへの露光量が所定値より小さい領域であり、第２の領域は露光量が所定値より大きい領域であり、表示感度はＩＳＯ（International Organization for Standardization）８００であり、異なる感度はＩＳＯ１６００であるので、例えば、日中屋外など一定輝度以上のシーンで撮影する場合は撮影装置である銀塩カメラの感度を、例えば、ＩＳＯ１６００に設定し、また逆光のシーンで撮影する場合は、例えば、ＩＳＯ８００に設定し、さらに夜景や暗い室内などのストロボ撮影のシーンでは、例えば、ＩＳＯ１６００に設定することができる。これにより、露光オーバーになり易い日中の屋外撮影などでの露光量を減少させ、ネガ濃度が高くなるのを防ぐことができる。
【００４１】
請求項１３に記載されるように、請求項１〜１１の撮影装置において、光感応手段は、被写体を撮像する撮像素子であることを特徴とする。
【００４２】
すなわち、撮影装置は、光感応手段が撮像素子であるデジタル・カメラであってもよい。
【００４３】
請求項１４に記載のフィルム収納体は、表示感度および該表示感度と異なる感度の一方を設定して撮影利用可能なフィルムを収納可能なフィルム収納体であって、該フィルムが前記表示感度と異なる感度を設定して撮影利用可能であることを識別する識別子が設けられており、前記フィルムの感度特性は、前記異なる感度のフィルムの感度特性と近似する第１の特性を有する第１の領域と、前記表示感度の光感応手段の感度特性と近似する第２の特性を有する第２の領域と、を有する、ことを特徴とする。
【００４４】
すなわち、該フィルム収納体に収納可能なフィルムが表示感度と異なる感度を設定して撮影利用可能であることを識別する識別子を設けることにより、該フィルムがユーザに該光感応手段の感度を知らせるための表示感度とは異なる感度を設定して撮影利用可能であるか否かを識別することができる。
フィルムの感度特性は、異なる感度の光感応手段の感度特性と近似する第１の特性を有する第１の領域と、表示感度の光感応手段の感度特性と近似する第２の特性を有する第２の領域と、を有することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定することができる。これにより、露光オーバーになり易い日中の屋外撮影などでの露光量を減少させ、ネガ濃度が高くなるのを防ぐことができる。
【００４５】
請求項１５に記載されるように、請求項１４に記載のフィルム収納体の識別子は、導通面の一部または全部が非導通面と同一の色のＣＡＳ(Camera Auto Sensing Code)コードであり、電気的検出と光学的検出とにより異なる情報として検出されてもよい。
【００４６】
すなわち、通常は地金の銀色であるＣＡＳコードの導通面を、例えば、非導通面と同一の色である黒色とすることで、通常の電気接点によるＣＡＳコード検出方法では通常のフィルムを収納可能なフィルム収納体と同じ結果を出す一方で、反射率による光学的検出方法では異なった結果を出すようにできるので、フィルム収納体に収納可能なフィルムを電気的検出手段のみを備えた従来の撮影装置では通常の表示感度通りのフィルムとして識別し、電気的および光学的検出手段の両方を備えた撮影装置では表示感度と異なる感度を設定して撮影利用可能であるフィルムとして識別することができる。
【００４７】
請求項１６に記載されるように、請求項１４に記載のフィルム収納体の識別子は、指定位置以外の場所に記録されたＣＡＳコードであってもよい。
【００４８】
すなわち、例えば、フィルム収納体としてのパトローネ上のＣＡＳコード指定位置以外の場所に追加コードを記録し、この追加コードを撮影装置で読み取ることで、フィルム収納体に収納可能なフィルムが表示感度と異なる感度を設定して撮影利用可能であるフィルムであることを識別できる。従来のＣＡＳコードのみを読み取る撮影装置では追加コードを読み取る機能がないため通常の表示感度通りのフィルムとして識別される。
【００４９】
請求項１７に記載されるように、請求項１４に記載のフィルム収納体の識別子は、ＣＡＳコードパターン間の間隙に記録されたＣＡＳコードであってもよい。
【００５０】
すなわち、ＣＡＳコードパターン間の間隙に追加コードを記録し、この追加コードを撮影装置で読み取ることで、フィルム収納体に収納可能なフィルムが表示感度と異なる感度を設定して撮影利用可能であるフィルムであることを識別できる。従来のＣＡＳコードのみを読み取る撮影装置ではＣＡＳコードパターン間の間隙は読取位置ではないため、追加コードを読み取る機能がなく、通常の表示感度通りのフィルムとして識別される。
【００５１】
請求項１８に記載されるように、請求項１４に記載のフィルム収納体において、電波検知ＩＣが前記フィルム収納体に設けられ、該電波検知ＩＣは前記識別子を含んでもよい。
【００５２】
すなわち、フィルム収納体に電波検知ＩＣタグを設け、これにより、フィルム収納体に収納可能なフィルムが表示感度と異なる感度を設定して撮影利用可能であるフィルムであることを識別できる。従来の撮影装置では電波検知ＩＣタグを検出できないため、通常の表示感度通りのフィルムとして識別される。
【００５３】
請求項１９に記載されるように、請求項１４に記載のフィルム収納体の識別子は、フィルム収納体に印刷されているバーコードであってよい。
【００５４】
すなわち、フィルム収納体にバーコードを印刷し、これにより、フィルム収納体に収納可能なフィルムが表示感度と異なる感度を設定して撮影利用可能であるフィルムであることを識別できる。従来の撮影装置では、このバーコードを検出できないため、通常の表示感度通りのフィルムとして識別される。
【００５５】
請求項２０に記載されるように、請求項１４に記載のフィルム収納体は、識別子としての所定の形状を有してもよい。
【００５６】
すなわち、フィルム収納体は、識別子としての所定の形状を有し、従来のフィルム収納体との形状の相違を撮影装置の検出手段であるマイクロスイッチ等で検出することにより、フィルム収納体に収納可能なフィルムが表示感度と異なる感度を設定して撮影利用可能であるフィルムであることを識別できる。従来の撮影装置では形状の相違を検出できないため、通常の表示感度通りのフィルムとして識別される。
【００５８】
すなわち、フィルムの感度特性は、異なる感度の光感応手段の感度特性と近似する第１の特性を有する第１の領域と、表示感度の光感応手段の感度特性と近似する第２の特性を有する第２の領域と、を有することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定することができる。これにより、露光オーバーになり易い日中の屋外撮影などでの露光量を減少させ、ネガ濃度が高くなるのを防ぐことができる。
【００５９】
請求項２１に記載されるように、請求項１４〜２０のフィルム収納体は、被写体を撮影した際の感度を示す感度情報を記録可能に形成されていてもよい。
【００６０】
すなわち、フィルム収納体は、被写体を撮影した際の感度を示す感度情報を記録可能に形成されていることができ、ラボではプリント前にこれらの感度情報を知ることにより、効率的なプリント作業ができる。感度情報とともに、ネガ濃度、階調補正や電子ズームなどの情報がフィルム収納体に記録されてもよい。
【００６１】
請求項２２に記載のフィルム・システムは、表示感度および該表示感度と異なる感度の一方を設定して撮影利用可能なフィルムと、前記フィルムが収められたフィルム収納体と、を有するフィルム・システムであって、前記フィルム、および、前記フィルム収納体の少なくとも一方に、該フィルムが表示感度と異なる感度を設定して撮影利用可能であることを識別する識別子が設けられており、前記フィルムの感度特性は、前記異なる感度のフィルムの感度特性と近似する第１の特性を有する第１の領域と、前記表示感度の光感応手段の感度特性と近似する第２の特性を有する第２の領域と、を有する、ことを特徴とする。
【００６２】
すなわち、フィルム・システムは、フィルム収納体、および、該フィルム収納体に収納可能なフィルムの少なくとも一方に、表示感度と異なる感度を設定して撮影利用可能であることを識別する識別子を設けることにより、該フィルムがユーザに該光感応手段の感度を知らせるための表示感度とは異なる感度を設定して撮影利用可能であるか否かを識別することができる。
フィルムの感度特性は、異なる感度の光感応手段の感度特性と近似する第１の特性を有する第１の領域と、表示感度の光感応手段の感度特性と近似する第２の特性を有する第２の領域と、を有することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定することにより、露光オーバーになり易い日中の屋外撮影などでの露光量を減少させ、ネガ濃度が高くなるのを防ぐことができる。
【００６３】
請求項２３に記載されるように、請求項２２のフィルム・システムにおいて識別子は、導通面の一部または全部が非導通面と同一の色のＣＡＳコードであり、電気的検出と光学的検出とにより異なる情報として検出されてもよい。
【００６４】
すなわち、通常は地金の銀色であるＣＡＳコードの導通面を、例えば、非導通面と同一の色である黒色とすることで、通常の電気接点によるＣＡＳコード検出方法では通常のフィルム・システムと同じ結果を出す一方で、反射率による光学的検出方法では異なった結果を出すようにできるので、フィルムを電気的検出手段のみを備えた従来の撮影装置は通常の表示感度通りのフィルムとして識別し、電気的および光学的検出手段の両方を備えた撮影装置では表示感度と異なる感度を設定して撮影利用可能であるフィルムとして識別することができる。
【００６５】
請求項２４に記載されるように、請求項２２のフィルム・システムにおいて識別子は、指定位置以外の場所に記録されたＣＡＳコードであってもよい。
【００６６】
すなわち、例えば、フィルム収納体としてのパトローネ上のＣＡＳコード指定位置以外の場所に追加コードを記録し、この追加コードを撮影装置で読み取ることで、表示感度と異なる感度を設定して撮影利用可能であるフィルムであることを識別できる。従来のＣＡＳコードのみを読み取る撮影装置では追加コードを読み取る機能がないため通常の表示感度通りのフィルムとして識別される。
【００６７】
請求項２５に記載されるように、請求項２２のフィルム・システムにおいて、識別子は、ＣＡＳコードパターン間の間隙に記録されたＣＡＳコードであってもよい。
【００６８】
すなわち、ＣＡＳコードパターン間の間隙に追加コードを記録し、この追加コードを撮影装置で読み取ることで表示感度と異なる感度を設定して撮影利用可能であるフィルムであることを識別できる。従来のＣＡＳコードのみを読み取る撮影装置ではＣＡＳコードパターン間の間隙は読取位置ではないため、追加コードを読み取る機能がなく、通常の表示感度通りのフィルムとして識別される。
【００６９】
請求項２６に記載されるように、請求項２２のフィルム・システムにおいて、電波検知ＩＣが前記フィルム収納体に設けられ、該電波検知ＩＣは前記識別子を含んでもよい。
【００７０】
すなわち、フィルム収納体に電波検知ＩＣタグを設け、これにより、表示感度と異なる感度を設定して撮影利用可能であるフィルムであることを識別できる。従来の撮影装置では電波検知ＩＣタグを検出できないため、通常の表示感度通りのフィルムとして識別される。
【００７１】
請求項２７に記載されるように、請求項２２のフィルム・システムにおいて、識別子は、フィルムに印刷されているバーコードであってもよい。
【００７２】
すなわち、フィルム上にバーコードを印刷し、これにより、表示感度と異なる感度を設定して撮影利用可能であるフィルムであることを識別できる。従来の撮影装置ではこのバーコードを検出できないため、通常の表示感度通りのフィルムとして識別される。
【００７３】
請求項２８に記載されるように、請求項２２のフィルム・システムにおいて、識別子は、フィルムの切欠きであってよい。
【００７４】
すなわち、表示感度と異なる感度を設定して撮影利用可能であるフィルムに切欠きを形成し、光学的に検出することで、表示感度と異なる感度を設定して撮影利用可能であるフィルムであることを識別できる。従来のカメラでは切欠きを検出できないため、通常の表示感度通りのフィルムとして識別される。
【００７５】
請求項２９に記載されるように、請求項２２のフィルム・システムにおいて、フィルムには磁気記録可能領域があり、識別子は該磁気記録可能領域に記録される情報であってよい。
【００７６】
すなわち、表示感度と異なる感度を設定して撮影利用可能であるフィルムには磁気記録可能領域があり、該磁気記録可能領域に記録される情報により撮影装置で表示感度と異なる感度を設定して撮影利用可能であるフィルムであることを識別可能としたことを特徴とする。従来の撮影装置では該磁気記録情報を検出できないため、通常の表示感度通りのフィルムとして識別される。
【００７７】
請求項３０に記載されるように、請求項２２に記載のフィルム・システムにおいて、フィルム収納体は、識別子としての所定の形状を有してもよい。
【００７８】
すなわち、フィルム収納体は、識別子としての所定の形状を有し、従来のフィルム収納体との形状の相違を撮影装置の検出手段であるマイクロスイッチ等で検出することにより、表示感度と異なる感度を設定して撮影利用可能であるフィルムであることを識別できる。従来の撮影装置では形状の相違を検出できないため、通常の表示感度通りのフィルムとして識別される。
【００８１】
請求項３１に記載されるように、請求項２２〜３０のフィルム・システムにおいて、フィルム、および、フィルム収納体の少なくとも一方は、被写体を撮影した際の感度を示す感度情報を記録可能に形成されていてもよい。
【００８２】
すなわち、フィルム、および、フィルム収納体の少なくとも一方は、被写体を撮影した際の感度を示す感度情報を記録可能に形成されているため、これにより、ラボではプリント前にこれらの感度情報を知ることで、効率的なプリント作業ができる。感度情報とともに、ネガ濃度、階調補正や電子ズームなどの情報が記録されてもよい。
【００８３】
請求項３２に記載のラボ機器は、請求項２１に記載のフィルム収納体に記録されている前記感度情報を読み取り、該感度情報に基づいて画像を処理する。
【００８４】
すなわち、ラボ機器は、フィルム収納体に記録されている前記感度情報を読み取り、該感度情報に基づいて画像を処理するので、撮影時にフィルム収納体に記録された、撮像装置の感度設定を示す感度情報を読み取り、コマ毎に感度情報に従ったプリントを作ることができる。感度情報とともに、ネガ濃度、階調補正や電子ズームなどの情報がフィルム、もしくは、フィルム収納体に記録されていてもよい。この場合、これらの情報もプリントを作る際に使用される。例えば、ネガ濃度が平均的に高くなる露光オーバー気味の補正をネガ一本にわたって行った情報が記録されている場合ならば、プリンタの露光ランプ光量を上げ、あるいはレーザーの出力を上げるなどの対応をとることもできる。
【００８５】
請求項３３に記載のラボ機器は、請求項３１に記載のフィルム・システムに記録されている画像および前記感度情報を読み取り、該感度情報に基づいて該画像を処理する。
【００８６】
すなわち、ラボ機器は、請求項３１に記載のフィルム・システムに記録されている画像および前記感度情報を読み取り、該感度情報に基づいて該画像を処理するので、撮影時にフィルム、もしくは、フィルム収納体に記録された、撮影装置の感度設定を示す感度情報を読み取り、コマ毎に感度情報に従ったプリントを作ることができる。感度情報とともに、ネガ濃度、階調補正や電子ズームなどの情報がフィルム、もしくは、フィルム収納体に記録されていてもよい。この場合、これらの情報もプリントを作る際に使用される。
【００８７】
請求項３４に記載の撮影方法は、（ａ）表示感度を設定して撮影利用可能な光感応手段であって、被写体からの光に感応する光感応手段の感度として、該表示感度とは異なる感度を設定して該光感応手段を撮影利用可能であることを示す識別子を検出し、（ｂ）被写体輝度を検出し、（ｃ）（ｂ）により検出された前記被写体輝度と、（ａ）により検出された前記識別子と、に基づいて、感度を設定し、（ｄ）（ｃ）により設定された感度に基づいて被写体を撮影する、撮影方法であって、前記光感応手段の感度特性は、前記異なる感度の光感応手段の感度特性と近似する第１の特性を有する第１の領域と、前記表示感度の光感応手段の感度特性と近似する第２の特性を有する第２の領域と、を有し、（ｃ）は、（ｂ）により検出された前記被写体輝度にもとづき、前記異なる感度および前記表示感度の一方に設定する。
【００８８】
すなわち、本撮影方法は、被写体からの光に感応する光感応手段の感度として表示感度とは異なる感度を設定して該光感応手段を撮影利用可能であることを示す識別子を検出するので、該撮影方法によれば、光感応手段がユーザに該光感応手段の感度を知らせるための表示感度とは異なる感度を設定して撮影利用可能であるか否かを識別することができる。
撮影方法は、被写体輝度を検出し、検出された被写体輝度と、検出された識別子と、に基づいて、感度を設定し、設定された感度に基づいて被写体を撮影するようにしているので、これにより、例えば、露光オーバーになり易い日中の屋外撮影などでは撮影装置の感度を高めに設定することにより、露光量を減少し、ネガ濃度が高くなるのを防ぐことができる。
光感応手段の感度特性は、異なる感度の光感応手段の感度特性と近似する第１の特性を有する第１の領域と、表示感度の光感応手段の感度特性と近似する第２の特性を有する第２の領域と、を有し、感度設定手段は、輝度検出手段により検出された被写体輝度にもとづき、該異なる感度および該表示感度の一方に設定することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定する。これにより、露光オーバーになり易い日中の屋外撮影などでの露光量を減少させ、ネガ濃度が高くなるのを防ぐことができる。
【００８９】
請求項３５の撮影方法は、（ａ）表示感度を設定して撮影利用可能なフィルムであって、被写体を撮影して画像が記録されるフィルムが、表示感度と異なる感度を設定して撮影利用可能か否かを判断するステップと、（ｂ）被写体輝度を検出するステップと、（ｃ）該フィルムが表示感度と異なる感度を設定して撮影利用可能であると判断された場合、検出された前記被写体輝度に基づいて、感度を設定するステップと、を有する撮影方法であって、前記フィルムの感度特性は、前記異なる感度のフィルムの感度特性と近似する第１の特性を有する第１の領域と、前記表示感度のフィルムの感度特性と近似する第２の特性を有する第２の領域と、を有し、（ｃ）は、（ｂ）により検出された前記被写体輝度にもとづき、前記異なる感度および前記表示感度の一方に設定する。
【００９０】
すなわち、表示感度と異なる感度を設定して撮影利用可能であるフィルムを撮影装置が識別し、撮影装置の感度設定を撮影状況に応じて切り替ることにより、被写体輝度やストロボの有無、時刻などの状況によって、同一のフィルムを用いて異なる感度設定で撮影することができる。
光感応手段の感度特性は、異なる感度の光感応手段の感度特性と近似する第１の特性を有する第１の領域と、表示感度の光感応手段の感度特性と近似する第２の特性を有する第２の領域と、を有し、感度設定手段は、輝度検出手段により検出された被写体輝度にもとづき、該異なる感度および該表示感度の一方に設定することにより、例えば、日中屋外など一定輝度以上のシーンで撮影する場合、逆光のシーンで撮影する場合、夜景や暗い室内などのストロボ撮影のシーンで撮影する場合などに応じて、異なる感度および表示感度の一方に設定する。これにより、露光オーバーになり易い日中の屋外撮影などでの露光量を減少させ、ネガ濃度が高くなるのを防ぐことができる。
【００９１】
請求項３６に記載されるように、請求項３５の撮影方法は、設定された感度を記録するステップをさらに有してもよい。
【００９２】
すなわち、プリントの際に参照されるように、撮影感度を記録することができる。
【００９３】
請求項３７の画像処理方法は、請求項３５の撮影方法によって記録された前記感度を読み取るステップと、読み取られた前記感度に基づいて、前記フィルムに記録されている画像を処理するステップと、を有する。
【００９４】
すなわち、記録された撮影感度を読み取り、これにもとづき、フィルムに記録されている画像を処理し、適正にプリントすることができる。
【００９５】
【発明の実施の形態】
図１には、本発明の実施の形態に係る撮影装置としてのカメラ４０が示されている。
【００９６】
カメラ４０は、光感応手段としてのフィルム３０に感度情報を記録する記録手段としてのＬＥＤ１７、表示感度識別子としての通常のＣＡＳコード１０２を電気的に検出する第２の識別子検出手段としての電気接点４２、および、識別子としての追加コード２２を検出する、識別子検出手段または第１の検出手段としての電気接点４４を有し、フィルム３０を収納するフィルム収納体としてのパトローネ１０を装填することができる（図２も参照）。
【００９７】
図１６に示すように、カメラ４０は、該カメラに電源を供給する電源回路１２２、カメラの電源の供給を開始および停止する電源スイッチ１２４、被写体を撮影するために押下されるシャッター・レリーズ・ボタン１２６、被写体の測光を行う測光回路１２８、自動焦点距離調整を行うＡＦ（オート・フォーカス）回路１３０、撮影設定などを行うために使用されるスイッチ群１３８、制御プログラムが組み込まれているＥＥＰＲＯＭ１４４、フィルム３０の給送を制御するフィルム給送制御回路１４６、ストロボの発光を制御するストロボ制御回路１４８、撮影手段としての露光を制御する露光制御回路１５０、該露光制御回路１５０により制御されるシャッター駆動部１５２、伸長・短縮するために鏡胴を駆動する鏡胴駆動回路１５４を有する。これらの回路はすべて中央演算処理装置（ＣＰＵ）１２０に接続され、該ＣＰＵ１２０により制御される。ＣＰＵ１２０は、ファームウェアを記憶するＲＯＭ１４０、および、一時データを記憶するＲＡＭ１４２を含む。
【００９８】
さらに、カメラ４０は、上記追加コード２２を検出する識別子検出手段としての電気接点４４などを含むフィルム感度検出手段１３２、該フィルム感度検出手段１３４により検出された感度情報にもとづいて、もしくは、手動で設定される感度マニュアル設定手段の出力にもとづいて、感度設定手段としてのカメラ４０の撮影感度を設定する感度設定回路１３４、撮影感度をフィルムに記録する際に該記録を制御するデータ記録制御回路１５６、ＬＣＤなどの表示素子１６０、および、該表示素子１６０を制御する表示素子制御回路１５８を有する。これらの回路もＣＰＵ１２０に接続され、該ＣＰＵ１２０により制御される。
【００９９】
図１および図１６に示すように、カメラ４０に、フィルム３０を詰めたパトローネ１０を装填し、パトローネ１０またはフィルム３０に設けられた識別子をフィルム感度検出手段１３２が読み取ることで、輝度検出手段としての測光回路１２８などにより検出される撮影の状況、例えば、被写体輝度に応じて、感度設定回路１３４によりカメラの撮影感度設定を自動的に切り替える。
【０１００】
例として、図２に示す、ＣＡＳコードの指定位置以外の場所に識別子としての追加コード２２を記録したパトローネ１０を使用した場合、表示感度識別子としての通常のＣＡＳコード１０２を電気的に検出する電気接点４２を設けると共に、追加コード２２を検出する電気接点４４を追加コード２２の位置に対応した場所に設ける。
【０１０１】
これにより、通常のフィルムと、表示感度とは異なる感度を設定して撮影利用可能であるフィルム（以下、ニュー・フィルムという、例えば、表示感度はＩＳＯ８００であるが、表示感度とは異なる感度であるＩＳＯ１６００の感度を設定して撮影利用可能であるフィルム）と、を区別して、カメラ４０の表示素子１６０に表示する。表示方法としては、白抜き文字（通常のフィルム）と黒文字（ニュー・フィルム）で区別する方法、ニュー・フィルムの場合はフィルム感度の表示が点滅する方法、ＩＳＯ感度数値部分にアンダーラインが付く方法、ＩＳＯ感度数値部分に枠が付く方法、または「８００」と「１６００」のように交互にインタラプト表示させる方法などが考えられる。
【０１０２】
ニュー・フィルムとは、その感度特性が、異なる感度のフィルムの感度特性と近似する第１の特性を有する第１の領域と、表示感度のフィルムの感度特性と近似する第２の特性を有する第２の領域と、を有するフィルムのことである。例えば、所定の露光量以上の領域では第１の特性を有し、所定の露光量以下の領域では第２の特性を有してもよいし、反対に、所定の露光量以下の領域では第一の特性を有し、所定の露光量以上の領域では第２の特性を有してもよい。
【０１０３】
例えば、本発明のニュー・フィルムの感度特性が、図２２の感度特性図にＣにより示される。ここで、表示感度のフィルムの感度特性はＡにより、異なる感度のフィルムの感度特性はＢにより示される。例えば、ＡはＩＳＯ８００の感度特性であり、ＢはＩＳＯ１６００の感度特性であってもよい。フィルムの表示感度は、所定濃度ｄにおけるＡ’、Ｂ’で示される感度特性部分で規定される。この場合、感度特性Ｃにより示されるフィルムは領域ａでは、ＩＳＯ８００と近似する特性を有し、領域ｂでは、ＩＳＯ１６００と近似する特性を有する。
【０１０４】
感度設定回路１３４は、測光回路１２８により検出された被写体輝度にもとづき、異なる感度および前記表示感度の一方に設定する、
表示素子１６０を視認することにより、ユーザは感度マニュアル設定手段１３６を操作し、カメラの撮影感度を手動で設定することもできる。設定された感度マニュアル設定手段１３６の出力にもとづき、感度設定回路１３４によりカメラの撮影感度設定が切り替えられる。
【０１０５】
またカメラ４０内では、ニュー・フィルム３０に撮影を行いながら、同時にカメラ４０内に設けられたＬＥＤ１７で、撮影時にカメラで設定された感度を示す感度情報、階調補正や電子ズームなどのプリント情報をフィルム３０上にバーコードとして記録する。このバーコードに記録された感度情報およびプリント情報は、ラボでフィルム現像された後、入力機のスキャナで読み取られ、プリント結果に反映される。
【０１０６】
さらに、ここではニュー・フィルム３０上に感度情報およびプリント情報をカメラ４０内で光学的にバーコードとして記録しているが、フィルム３０上に磁気記録層を設けておき、カメラ４０内に記録手段としての磁気ヘッドを設けて磁気記録するようにしてもよい。
【０１０７】
図２には、本発明の実施の形態に係るフィルム・システム１３のパトローネ１０が示されている。
【０１０８】
図２に示すように、パトローネ１０に設定されたＣＡＳコード指定位置以外の場所に追加コード２２を記録している。
【０１０９】
この追加コード２２は、通常のカメラに設けられた電気接点４２では検出できない箇所に記録されているため、通常の表示感度通りのフィルムとして認識されるが、この追加コード２２を読み取る検出手段を備えたカメラ４０では、ニュー・フィルム３０であることを識別することができる。
【０１１０】
ここではＣＡＳコード指定位置以外の場所に追加コード２２を書き込んでいるが、この他にもＣＡＳコードの導通面を黒色として光学検出と併用する方法、ＣＡＳコードパターン間の間隙に追加コードを付与する方法、軸部の形状を変更して物理的に検出する方法、電波検知ＩＣタグをパトローネに付ける方法、フィルムのエッジ部分にバーコードでプレ印刷する方法、パーフォレーション間に孔を設けて該孔を検出する方法、フィルムに磁気記録層を設けて記録する方法、などの方法が考えられる。
【０１１１】
また図３には、本発明の実施の形態に係るフィルム・システムのフィルム３０が示されている。
【０１１２】
図３に示すように、撮影時に設定されたカメラの感度を示す感度情報および階調補正や電子ズームによるトリミングなどのプリント情報を、ニュー・フィルム３０のエッジ部分にバーコード３７としてカメラ４０の内部で撮影時に記録し、ラボ機器でこれを読み出すことで感度情報およびプリント情報を撮影者からラボへ送ることができる。この感度情報およびプリント情報は、ラボ機器でフィルムが現像された後、入力機のスキャナで読み取られ、プリント結果に反映される。
【０１１３】
なお、本実施の形態では感度情報およびプリント情報の記録は、フィルム３０のエッジ部分にバーコードにより記録したが、本発明はこれに限定されず、後述されるように、例えば、パトローネ１０およびフィルム３０のエッジ以外の部分が磁気記録可能領域を備え、感度情報およびプリント情報が該磁気記録可能領域に磁気的に記録されるようにしてもよい。
【０１１４】
また、上記では、フィルム収納体として３５ｍｍフィルム・システム１３に使用されるパトローネ１０を使用して説明したが、本実施の形態は、これに限定されず、例えば、図１７（ａ）、（ｂ）に示されるＡＰＳフィルム・システム２００に使用されるカートリッジ２０１、図１７（ｄ）に示されるインスタント・フィルム・システム２２０のフィルム・パック２２１などがフィルム収納体として使用されてもよい。
【０１１５】
すなわち、上記識別子および感度情報は、例えば、図１７（ａ）に示されるカートリッジ２０１に記録されるバーコード２０８、図１７（ｂ）に示されるカートリッジ２０１の側端に備えられたデータディスク２１０に記録されるバーコード(図１８も参照)、もしくは、図１７（ｃ）に示されるネガフィルム２０２に記録される磁気情報２０４、バーコード２０６、および、図１７（ｄ）に示されるフィルム・パック２２０側面の磁気情報、もしくは、バーコード２２４などであってよい。
【０１１６】
図１８（ａ）に通常のデータディスク１７６に記録されるバーコードを示す。バーコードは通常一つのトラック１７８だけに記録される。上記識別子をデータディスクに記録する場合を図１８（ｂ）に示す。図１８（ｂ）に示すデータディスク２１０では、通常のバーコードが第１のトラック１８０に記録され、識別子であるバーコードが第２のトラック１８２に記録される。
【０１１７】
図１９に示されるように、データディスク２１０に記録されている識別子を検出することができるカメラ４０は、ＣＰＵ１２０に接続されている通常のバーコードを検出するためのセンサ２６２、および、識別子としてのバーコードを検出するための検出手段としてのセンサ２６４を有する。センサ２６４は、ＡＰＳフィルム・システム２００がカメラ４０のフィルム・システム装填部に装填された際に、データディスク２１０の第２のトラック１８２に対応する位置となるように配置される。センサ２６２は、データディスク２１０の第１のトラック１８０に対応する位置となるように配置される。センサ２６２および２６４は、例えば、発光素子および受光素子で構成されたフォトレフレクタである。
【０１１８】
識別子検出手段としてのセンサ２６４を有するカメラ４０に、識別子としてのバーコードを有するＡＰＳフィルム・システム２００が装填されると、第２のトラック１８２に記録されているバーコードがセンサ２６４により検出される。これにより、カメラ４０は、装填されたＡＰＳフィルム・システム２００が表示感度とは異なる感度を設定して撮影利用可能であると判断することができる。
【０１１９】
センサ２６４を有しない通常のカメラに、識別子としてのバーコードを有するＡＰＳフィルム・システム２００が装填されても、第２のトラック１８２に記録されているバーコードは検出されない。したがって、カメラは、装填されたＡＰＳフィルム・システム２００を表示感度通りのフィルム・システムとして扱うことができる。
【０１２０】
このように、使用される識別子に対応する記録手段および識別子検出手段が、該識別子の位置に応じてカメラに備えられることができる。
【０１２１】
なお、上記実施の形態では、撮影装置として銀塩カメラ、光感応手段としてフィルムを使用して説明したが、本発明はこれに限定されず、例えば、撮影装置としてデジタル・カメラ、光感応手段としてＣＣＤなどの撮像素子が使用されてもよい。
【０１２２】
また、上記実施の形態では、識別子を検出する第１の識別子検出手段と、表示感度を示す表示感度識別子を検出する第２の識別子検出手段と、が別々に備えられる撮影装置について説明したが、本発明はこれに限定されず、例えば、第１の識別子検出手段と第２の識別子検出手段とは、１つの識別子検出手段として構成されてもよい。この場合、識別子と表示感度識別子とは、同様の手段で同様の位置に記録されることができ、含まれる情報によって区別されることができる。
【０１２３】
図４には、本発明の実施の形態に係るラボ機器が示されている。
【０１２４】
図４に示すように、入力機５０にはスキャナ部５２が設けられている。スキャナ部５２でフィルムをスキャンし、フィルム画像情報を電子情報化する。
【０１２５】
入力機５０は出力機５４と接続されており、スキャナ部５２で電子情報に変換されたフィルム画像情報は出力機５４でカラーペーパー上に露光され、カラープリントとして出力される。
【０１２６】
図２０に詳細に示すように、ラボ機器はスキャナ部５２に対応するラインＣＣＤスキャナ２３０、主に入力機５０に対応する画像処理部２３２、出力機５４に対応するレーザプリンタ部２３４、および、プロセッサ部２３６を含む。ラインＣＣＤスキャナ２３０には、フィルム３０に光を照射する光源２３６、該光を拡散光とする光拡散板２３８、フィルム３０を搬送するフィルムキャリア２４０、該光を結像させるレンズユニット２４２、および、ラインＣＣＤ２４４が順に配置されており、さらに、ラインＣＣＤスキャナ２３０はアナログ／デジタル（Ａ／Ｄ）変換器２４６を有する。
【０１２７】
図２１に示されるように、フィルムキャリア２４０のフィルム・システム装填部２４０Ａは、フィルム３０に記録されている感度情報としてのバーコード３７を検出するためのバーコードリーダ２４０Ｃ、および、バーコードリーダ２４０Ｃの出力を解析する情報読取装置２５０を有する。
【０１２８】
次に、本実施の形態の作用を説明する。フィルム・システム装填部２４０Ａにフィルム・システム１３が装填されると、フィルム３０はフィルムキャリア２４０によって、コマ画像の画面が光軸と垂直になるように搬送される。フィルム３０に記録されているバーコード３７はバーコードリーダ２４０Ｃにより検出され、情報読取装置２５０に送信される。情報読取装置２５０は、バーコード２７を解析し、必要に応じて画像処理部２３２、ラインＣＣＤスキャナ２３０、レーザプリンタ部２３４へ送信する。
【０１２９】
ラインＣＣＤスキャナ２３０は、コマ画像をラインＣＣＤ２４４で読み取り、Ａ／Ｄ変換部２４６においてＡ／Ｄ変換した後、画像データを画像処理部２３２へ出力する。
【０１３０】
このように、撮影時にカメラ内でフィルム上に記録された感度情報およびプリント情報をスキャナ部５２でコマ画像と同時に読み取り、光源の光量増加や階調補正、電子ズームといったプリント情報に従って出力機５４でプリントが行われる。この結果、撮影時にカメラ内でフィルムに記録された感度情報およびプリント情報がプリント結果に反映される。
【０１３１】
なお、上記記載したように、感度情報はフィルム３０に記録されているバーコード３７に限定されるものではなく、例えば、ＡＰＳフィルム・システム２００のカートリッジ２０１に記録されているバーコード２０８などであってもよい。この場合は、図２１に示されるように、バーコードリーダ２４０Ｂを該カートリッジ２０１のバーコード２０８に対応する位置に設けてもよい。このほか、使用される感度情報に対応するセンサが、該感度情報の記録場所に応じてラボ機器に備えられてよい。
【０１３２】
ラインＣＣＤスキャナ２３０は、フィルム３０のほか、ネガフィルム、リバーサルフィルムなどの写真フィルムに記録されているコマ画像を読み取るためのものであってよく、例えば、１３５サイズの写真フィルム、１１０サイズの写真フィルム、および、透明な磁気層が形成された写真フィルム（２４０サイズの写真フィルム（ＡＰＳフィルム））、１２０サイズおよび２２０サイズ（ブローニサイズ）の写真フィルムのコマ画像を読取対象としてもよい。
【０１３３】
図５には、本発明の実施の形態の第１の変形例に係るフィルム・システム１３のパトローネ１０が示されている。なお、本発明の実施の形態と同様の部分に関しては、説明を省略する。
【０１３４】
図１４に示すように従来のパトローネ１００の側面に設けられたＣＡＳコード１０２は地金の銀色をした導通部分１０２Ａと黒色の非導通部分１０２Ｂとで構成されている。図５に示すように、フィルム収納体としてのパトローネ１０の側面に設けられた識別子としてのＣＡＳコード１２は、導通部分１２Ａの色も非導通部分１２Ｂと同様に黒色となっている（従来のパトローネ１００の側面に設けられたＣＡＳコード部分１０２Ａでは地金の銀色である）。この黒色導通部分１２Ａは、従来のＣＡＳコード部分１０２の導通部分１０２Ａと同様に電気を導通するが、光学的な性質は表示感度識別子としての従来のＣＡＳコード部分１０２の非導通部分１０２Ｂと同様である。
【０１３５】
これにより、図１２に示すカメラ４０の電気接点４２による検出方法では、従来のＣＡＳコード１０２を検出し通常の表示感度通りのフィルムとして認識するが、フィルム・システム１３のＣＡＳコード１２では検出手段としての光学センサ４３で光学的に黒色が検出され、また電気接点４２が電気的に導通部分１２Ａを検出することによって、カメラ４０でニュー・フィルム３０であることを識別することができる。
【０１３６】
なお、本実施の形態ではＣＡＳコード１２の導通部分１２Ａおよび非導通部分１２Ｂの双方を黒色としたが、本発明はこれに限定されず、双方を任意の同一の色とすることができる。
【０１３７】
図６には、本発明の実施の形態の第２の変形例に係るフィルム・システムのフィルム収納体としてのパトローネに付与された識別子としてのＣＡＳコード１８（図６（Ａ））と表示感度識別子としての従来のＣＡＳコード１０２（図６（Ｂ））が示されている。なお、本発明の実施の形態と同様の部分に関しては、説明を省略する。
【０１３８】
図６（Ｂ）に示すように、従来のＣＡＳコード１０２は一定の寸法で決められたＣＡＳコードパターンが２列に並んだ構造をしている。しかし、カメラ４０に設けた電気接点４２がＣＡＳコード１０２と接触して導通／非導通を検出するのはＣＡＳコード１０２のコードパターン中央付近の一部であり、パターン周辺部分は使用していない。
【０１３９】
そこで、図６（Ａ）に示すように、パターン周辺部分すなわちコードパターン１８間の間隙に識別子としての追加コード１６を記録し、（図６（Ｂ）に示すパターンとパターンとの境界線付近は検出ミスが生じやすいので避けたほうが好ましい）この追加コード１６をカメラ側で読み取ることでニュー・フィルムであることを識別する。
【０１４０】
なおこの追加コード１６は、図１５に示すような通常のカメラ１１０に設けられた電気接点１１２では読み取りができない位置にあるため、通常のカメラでは表示感度通りのフィルムとして認識される。
【０１４１】
図７には、本発明の実施の形態の第３の変形例に係るフィルム・システム２１のフィルム収納体としてのパトローネ１０が示されている。なお、本発明の実施の形態と同様の部分に関しては、説明を省略する。
【０１４２】
図７に示すように、通常は単純な円柱状の外形をしているパトローネ１０の軸部２３に、全周にわたって識別子としての段差２４を設けている。この軸部２３はパトローネ１０を矢印Ｂ方向へ装填すると検出手段としてのマイクロスイッチ２５のアクチュエータ２５Ａを押し、完全に装填すると段差２４にアクチュエータ２５Ａの自由端部が侵入し、スイッチＯＮとなる。これによりニュー・フィルム２１であることを識別する。
【０１４３】
この軸部２３の段差２４はマイクロスイッチ２５を持たない通常のカメラでは検出できないため、通常のカメラでは表示感度通りのフィルムとして認識される。
【０１４４】
また、軸部２３に段差２４が形成されていない通常のパトローネを装填してもスイッチはＯＮしないので、表示感度通りのフィルムとして認識される。
【０１４５】
なお、本実施の形態ではパトローネ１０の軸部２３に段差２４を設けたが、本発明はこれに限定されず、例えば、パトローネ１０の任意の場所に切欠きなどが設けられてもよく、すなわち、パトローネ１０が識別子としての任意の形状を有せばよい。
【０１４６】
図８には、本発明の実施の形態の第４の変形例に係るフィルム・システム２５のフィルム収納体としてのパトローネ１０が示されている。なお、本発明の実施の形態と同様の部分に関しては、説明を省略する。
【０１４７】
図８に示すように、パトローネ１０に印刷方式で識別子としての電波検知用のＩＣタグ２６を入れ、カメラから検出手段としての検出電波を飛ばしてニュー・フィルムであることを識別する。ここではＩＣタグ２６をパトローネ１０の金属部分に印刷方式で付与しているが、ＩＣタグ２４はパトローネの軸などのモールド部品中にインサート成形してもよい。
【０１４８】
このＩＣタグ２６は通常のカメラでは検出できないため、通常のカメラでは表示感度通りのフィルムとして認識される。
【０１４９】
図９には、本発明の実施の形態の第５の変形例に係るフィルム・システムのニュー・フィルム３０が示されている。なお、本発明の実施の形態と同様の部分に関しては、説明を省略する。
【０１５０】
図９に示すように、ニュー・フィルム３０のエッジ部分に識別子としてのバーコード３２を印刷し、検出手段としてのカメラのバーコードリーダで読み取ることでニュー・フィルム３０であることを識別する。
【０１５１】
このバーコード３２は通常のカメラでは検出できないため、通常のカメラでは表示感度通りのフィルムとして認識される。また、通常のフィルムにはバーコード３２は印刷されていないので表示感度通りのフィルムとして認識される。
【０１５２】
本実施の形態では、バーコード３２がフィルム３０のエッジ部分に印刷されているものとしたが、本発明はこれに限定されず、バーコード３２はエッジ以外の場所に印刷されてもよい。
【０１５３】
図１０には、本発明の実施の形態の第６の変形例に係るフィルム・システムのニュー・フィルム３０が示されている。なお、本発明の実施の形態と同様の部分に関しては、説明を省略する。
【０１５４】
図１０に示すように、ニュー・フィルム３０のパーフォレーション３５間に識別子としての孔３４を形成し、識別子検出手段としてのカメラの光学式センサで読み取ることでニュー・フィルム３０であることを識別する。
【０１５５】
この孔３４は通常のカメラでは検出できないため、通常のカメラでは表示感度通りのフィルムとして認識される。また通常のフィルムにはパーフォレーション３５間に孔３４は存在しないので、表示感度通りのフィルムとして認識される。
【０１５６】
本実施の形態では、パーフォレーション３５間に孔３４が形成されるものとしたが、本発明はこれに限定されず、例えば、パーフォレーション３５間以外の場所に孔３４が形成されてもよいし、孔３４を形成する代わりに、フィルムの一部が所定の形状で切り取られてもよいし、フィルムの層を削除されてもよい。すなわち、識別子はフィルムの切欠きであってよい。
【０１５７】
図１１には、本発明の実施の形態の第７の変形例に係るフィルム・システムのニュー・フィルム３０が示されている。なお、本発明の実施の形態と同様の部分に関しては、説明を省略する。
【０１５８】
図１１に示すように、ニュー・フィルム３０のエッジまたは全面に磁気記録媒体である磁性体層３６を形成し、この磁性体層３６に予め記録されている識別子としての磁気記録情報を識別子検出手段としてのカメラの磁気センサで読み取ることでニュー・フィルム３０であることを識別する。
【０１５９】
この磁性体層３６に記録された磁気記録情報は通常のカメラでは検出できないため、通常のカメラでは表示感度通りのフィルムとして認識される。また、通常のフィルムには磁気記録情報は記録されていないので表示感度通りのフィルムとして認識される。
【０１６０】
本実施の形態では、フィルム３０がエッジまたは全面に磁性体層３６を有するものとしたが、本発明はこれに限定されず、例えば、フィルムの任意の部分に磁気記録可能領域を有していてもよい。
【０１６１】
なお、上記では、フィルム収納体として３５ｍｍフィルム・システム１３に使用されるパトローネ１０を使用して説明したが、本実施の形態は、これに限定されず、例えば、図１７（ａ）、（ｂ）に示されるＡＰＳフィルム・システム２００に使用されるカートリッジ２０１、図１７（ｄ）に示されるインスタント・フィルム・システム２２０のフィルム・パック２２１などがフィルム収納体として使用されてもよい。
【０１６２】
また、上記では、フィルムとして３５ｍｍフィルム３０を使用して説明したが、本実施の形態は、これに限定されず、例えば、図１７（ａ）〜（ｃ）に示されるＡＰＳフィルム・システム２００に使用されるネガフィルム２０２、図１７（ｄ）に示されるインスタント・フィルム・システム２２０のフィルム２２２などが使用されてもよい。
【０１６３】
図１２には、本発明の実施の形態の第８の変形例に係るカメラが示されている。なお、本発明の実施の形態と同様の部分に関しては、説明を省略する。
【０１６４】
図１２に示すように、カメラ４０に、ニュー・フィルムを詰めたパトローネ１０を装填し、パトローネ１０またはフィルムに設けられた識別子をカメラが読み取ることで、撮影状況に応じて感度を自動的に切り替えるモードに設定される。
【０１６５】
例として、図２に示すＣＡＳコード１０２の指定位置以外の場所に識別子としての追加コード２２を記録したパトローネ１０を使用した場合、表示感度識別子としての通常のＣＡＳコード１０２を電気的に検出する電気接点４２を設けると共に、追加コード２２を検出する電気接点４４を追加コード２２の位置に対応した場所に設ける。
【０１６６】
上記記載されたような、使用される識別子に対応する記録手段および識別子検出手段を、該識別子の位置に応じてカメラに備えることができる。
【０１６７】
これにより、通常のフィルムとニュー・フィルムとを区別してカメラ４０の表示素子１６０に表示する。表示方法としては、白抜き文字（通常のフィルム）と黒文字（ニュー・フィルム）とで区別する方法、ニュー・フィルムの場合はフィルム感度の表示を点滅する方法、ＩＳＯ感度数値部分にアンダーラインが付く方法、ＩＳＯ感度数値部分に枠が付く方法、または「８００」と「１６００」のように交互にインタラプト表示させる方法などが考えられる。
【０１６８】
これにより、図１３に示すように、ニュー・フィルムをカメラ４０が識別し、被写体輝度等の撮影状況に応じて感度を自動的に切り替えて使用することで、同一のフィルムで被写体輝度やストロボの有無、時刻などの状況によって異なるカメラの感度設定で撮影し、オーバー気味やアンダー気味の露光制御を行う。
【０１６９】
図１３において、（Ａ）は昼間の晴天屋外、（Ｂ）は逆光、（Ｃ）は夜景・暗い室内を表す。黒ベタは露光オーバー気味、白ヌキは露光アンダー気味、斜線は適正濃度を表す。
【０１７０】
例として、ＩＳＯ８００とＩＳＯ１６００の２通りの感度で使用できるニュー・フィルムを、カメラの感度設定を表示感度であるＩＳＯ８００と表示感度とは異なる感度であるＩＳＯ１６００で切り替えて使用する場合を挙げる。
【０１７１】
図１３（Ａ）に示すように晴天屋外で撮影する場合、ＩＳＯ８００で制御するとネガのオーバーラチチュードを超えて画質が劣化するような時にはＩＳＯ１６００として露光制御する。
【０１７２】
フィルムに入射する光量を少なくすることで階調の良い撮影プリントが得られる。
【０１７３】
図１３（Ｂ）に示すようにＩＳＯ８００でオーバーラチチュードを超えるようなことが起きない明るさではＩＳＯ８００として露光制御する。これにより逆光の撮影で人物の顔がアンダー気味に露光されるのをカバーでき、彩度の高いプリントにすることができる。又順光の撮影でも全く問題のないプリントが得られる。
【０１７４】
図１３（Ｃ）に示すようにＡＥ連動域を下回るような暗い場所の撮影ではＩＳＯ１６００で制御するのが良い。ＩＳＯ８００で制御すると主被写体のストロボ光量がＩＳＯ１６００に比べて一段強くなり、外光との露光量差が大きくなる為背景描写が悪くなる。
【０１７５】
なお、上記では、説明を容易にするために、表示感度であるＩＳＯ８００と表示感度とは異なる感度であるＩＳＯ１６００との２通りにカメラの感度設定を自動的に切り替えることについて記載したが、本発明はこれに限定されず、例えば、表示感度と該表示感度とは異なる感度の間のいずれかの感度にカメラの感度設定を切り替えるようにしてもよい。また、撮影者が表示素子１６０に表示される表示感度とは異なる感度を設定して撮影利用可能であるという情報にもとづき、表示感度と該表示感度とは異なる感度とのいずれかの感度に手動でカメラの感度設定を切り替えるようにしてもよい。
【０１７６】
なお、上記実施の形態では、撮影装置として銀塩カメラ、光感応手段としてフィルムを使用して説明したが、本発明はこれに限定されず、例えば、撮影装置としてデジタル・カメラ、光感応手段としてＣＣＤなどの撮像素子が使用されてもよい。
【０１７７】
また、上記実施の形態では、識別子を検出する第１の識別子検出手段と、表示感度を示す表示感度識別子を検出する第２の識別子検出手段と、が別々に備えられる撮影装置について説明したが、本発明はこれに限定されず、例えば、第１の識別子検出手段と第２の識別子検出手段とは、１つの識別子検出手段として構成されてもよい。この場合、識別子と表示感度識別子とは、同様の手段で同様の位置に記録されることができ、含まれる情報によって区別されることができる。
【０１７８】
上記記載したように、本発明の撮影装置は、被写体からの光に感応する光感応手段の感度を、表示感度とは異なる感度を設定して該光感応手段を撮影利用可能であることを示す識別子を検出する識別子検出手段を有することを特徴としている。一例として、カメラ４０は、識別子としての追加コード２２を検出する、識別子検出手段または第１の検出手段としての電気接点４４を有する。これにより、フィルムがユーザに該光感応手段の感度を知らせるための表示感度とは異なる感度を設定して撮影利用可能であるか否かを識別することができる。
【０１７９】
【発明の効果】
本発明の撮影装置は、被写体からの光に感応する光感応手段の感度を、表示感度とは異なる感度を設定して該光感応手段を撮影利用可能であることを示す識別子を検出する識別子検出手段を有することを特徴としている。これにより、光感応手段がユーザに該光感応手段の感度を知らせるための表示感度とは異なる感度を設定して撮影利用可能であるか否かを識別することができる。
【０１８０】
また、本発明は、表示感度とは異なる感度を設定して撮影利用可能である光感応手段を使用し、撮影状況に応じて撮影装置の感度設定を自動的に切替え、最適な露光条件を得ることができる。
【０１８１】
上記、本発明の実施例においては、被写体輝度という条件についてのみ説明したが、撮影状況、すなわち、被写体条件として、他に、被写体距離、フラッシュの有無、マクロ撮影、自分撮り、ポートレート、スポーツなどの条件に対応、又は、それらを組み合わせたアルゴリズムで感度を自動切替することも可能である。また、フィルムカメラのみでなく、デジタルカメラの撮像素子の感度を被写体条件により自動的に切り替えるシステム、及び、デジタルカメラからプリンタへの印刷条件を通信するなどにも十分応用可能である。
【０１８２】
さらに、本発明は、表示感度とは異なる感度を設定して撮影利用可能である光感応手段を使用し、撮影装置で光感応手段に記録した感度情報をラボで読み取り可能として効率的なプリント作業を行うことができる。
【図面の簡単な説明】
【図１】本発明の実施の形態に係るカメラの断面図である。
【図２】本発明の実施の形態に係るフィルム・システムのパトローネの斜視図である。
【図３】本発明の実施の形態に係るフィルムの説明図である。
【図４】本発明の実施の形態に係るラボ機器の構成図である。
【図５】本発明の実施の形態に係るパトローネの斜視図である。
【図６】本発明の実施の形態に係るＣＡＳコードパターンおよび従来のＣＡＳコードパターンの図である。
【図７】本発明の実施の形態に係るに係るパトローネの側面図である。
【図８】本発明の実施の形態に係るパトローネの斜視図である。
【図９】本発明の実施の形態に係るフィルムの図である。
【図１０】本発明の実施の形態に係るフィルムの図である。
【図１１】本発明の実施の形態に係るフィルムの図である。
【図１２】本発明の実施の形態に係るカメラの断面図である。
【図１３】本発明の実施の形態に係る撮影方法の説明図である。
【図１４】従来のパトローネの斜視図である。
【図１５】従来のカメラの断面図である。
【図１６】本発明の実施の形態に係るカメラのブロック図である。
【図１７】本発明の実施の形態に係るＡＰＳフィルム・システム、ネガフィルム、インスタント・フィルム・システムの斜視図である。
【図１８】（ａ）は従来のデータディスクに記録されているバーコードであり、（ｂ）は本発明の実施の形態に係るデータディスクに記録されているバーコードである。
【図１９】本発明の実施の形態に係るデータディスクのバーコードを読み取る機構を示す。
【図２０】本発明の実施の形態に係るラボ機器のブロック図である。
【図２１】本発明の実施の形態に係るフィルム・システム装填部を示すブロック図である。
【図２２】本発明の実施の形態に係るニュー・フィルムの感度特性の一例を示す。
【符号の説明】
４０    カメラ
４２    ＣＡＳコード検出手段
４４    追加コード検出手段
１７    ＬＥＤ
１０    パトローネ
２２    追加コード
３０    フィルム
３７    感度情報
５０    入力機
５２    スキャナ部
５４    出力機
【図１】
0004316863.tif 000002
【図２】
0004316863.tif 000003
【図３】
0004316863.tif 000004
【図４】
0004316863.tif 000005
【図５】
0004316863.tif 000006
【図６】
0004316863.tif 000007
【図７】
0004316863.tif 000008
【図８】
0004316863.tif 000009
【図９】
0004316863.tif 000010
【図１０】
0004316863.tif 000011
【図１１】
0004316863.tif 000012
【図１２】
0004316863.tif 000013
【図１３】
0004316863.tif 000014
【図１４】
0004316863.tif 000015
【図１５】
0004316863.tif 000016
【図１６】
0004316863.tif 000017
【図１７】
0004316863.tif 000018
【図１８】
0004316863.tif 000019
【図１９】
0004316863.tif 000020
【図２０】
0004316863.tif 000021
【図２１】
0004316863.tif 000022
【図２２】
0004316863.tif 000023